(57)【特許請求の範囲】
【請求項１】
単板式カラー撮像装置において、固体撮像素子から出力された画素信号を１水平走査期間単位で遅延させた複数の信号を出力する遅延回路と、前記固体撮像素子から出力された信号及び前記遅延回路から出力された信号から輝度信号の高域周波数成分（以下、ＹＨ信号）を生成するＹＨ生成手段と、前記固体撮像素子から出力された信号及び前記遅延回路から出力された信号から輝度信号の中域周波数成分（以下、ＹＭ信号）を生成するＹＭ生成手段と、前記固体撮像素子から出力された信号及び前記遅延回路から出力された信号からＲ信号、Ｇ信号及びＢ信号を生成するＲＧＢ生成手段と、前記Ｒ信号、前記Ｇ信号、前記Ｂ信号それぞれに前記ＹＭ信号を合成する合成手段と、前記ＹＨ生成手段より生成されたＹＨ信号にガンマ処理をおこなうＹＨγ手段と、前記合成手段により生成されたＲ信号、Ｇ信号、Ｂ信号にガンマ処理をおこなうＲＧＢγ手段と、前記ＲＧＢγ手段によりガンマ処理されたＲ信号、Ｇ信号、Ｂ信号から輝度信号と色差信号を生成するマトリクス手段と、前記マトリクス手段より生成された輝度信号と前記ＹＨγ手段によりガンマ処理されたＹＨ信号とを合成して輝度信号として出力する手段とを備えた単板式カラー撮像装置。
【請求項２】
前記ＹＨ生成手段は、前記固体撮像素子から出力された信号及び前記遅延回路から出力された信号を任意の隣接画素同士の加算により輝度信号を生成し、当該輝度信号に対して高周波成分を抽出して出力することを特徴とする請求項１記載の単板式カラー撮像装置。
【請求項３】
前記ＲＧＢ生成手段は、前記固体撮像素子から出力された信号及び前記遅延回路から出力された信号から低周波数成分を抽出して出力するＬＰＦと、前記ＬＰＦから出力された信号からＲ信号とＧ信号とＢ信号を生成するマトリクス回路とから構成されることを特徴とする請求項１記載の単板式カラー撮像装置。
【請求項４】
単板式カラー撮像装置において、固体撮像素子から出力された画素信号を１水平走査期間単位で遅延させた複数の信号を出力する遅延回路と、前記固体撮像素子から出力された信号及び前記遅延回路から出力された信号から輝度信号の高域周波数成分（以下、ＹＨ信号）を生成するＹＨ生成手段と、前記固体撮像素子から出力された信号及び前記遅延回路から出力された信号から輝度信号の中域周波数成分（以下、ＹＭ信号）を生成するＹＭ生成手段と、前記固体撮像素子から出力された信号及び前記遅延回路から出力された信号からＲ信号、Ｇ信号及びＢ信号を生成するＲＧＢ生成手段と、前記Ｒ信号、前記Ｇ信号、前記Ｂ信号それぞれに前記ＹＭ信号を合成する合成手段と、前記ＹＨ生成手段より生成されたＹＨ信号にガンマ処理をおこなうＹＨγ手段と、前記合成手段により生成されたＲ信号、Ｇ信号、Ｂ信号にガンマ処理をおこなうＲＧＢγ手段と、前記ＲＧＢγ手段によりガンマ処理されたＲ信号、Ｇ信号、Ｂ信号から輝度信号と色差信号を生成するマトリクス手段と、前記マトリクス手段より生成された輝度信号と前記ＹＨγ手段によりガンマ処理されたＹＨ信号とを合成して輝度信号として出力する手段とを備え、
前記ＹＭ生成手段は、前記固体撮像素子から出力された信号及び前記遅延回路から出力された信号から輝度信号を生成する第１の輝度信号生成手段と、前記ＲＧＢ生成手段にて生成されるＲ，Ｇ，Ｂ信号とほぼ同じ周波数帯域の輝度信号を生成する第２の輝度信号生成手段とを有し、前記第１の輝度信号生成手段から生成される輝度信号から前記第２の輝度信号生成手段から生成される輝度信号を減算し、ＹＭ信号として出力する単板式カラー撮像装置。
【発明の詳細な説明】
【０００１】
【発明の属する技術分野】
本発明は、ＲＧＢ信号から輝度信号と色信号とを生成する撮像装置に関する。
【０００２】
【従来の技術】
近年、撮像装置は高画質化が要求され、様々な改良が加えられている。
【０００３】
以下、図面を参照しながら、従来の撮像装置の一例について説明する。
【０００４】
図１０は従来の撮像装置の構成を示すブロック図である。図１０において、１００は遅延回路、１０１は第１のマトリクス回路、１０２及び１０３は低域通過フィルタ（ＬＰＦ）、１０４は第２のマトリクス回路、１０５〜１０７はガンマ変換回路、１０８は第３のマトリクス回路、１０９はアパーチャ補正回路、１０１０はラインメモリ、１０１１はエンコーダである。
【０００５】
以上のように構成された撮像装置について、以下その動作について説明する。
【０００６】
まず、遅延回路１００で、ＣＣＤ（Charge Coupled Device：固体撮像素子）から出力された信号と、ＣＣＤから出力された信号を１水平走査期間だけ遅延させた信号と、更に１水平走査期間だけ遅延させた信号とを所定の出力端子に振り分ける。第１のマトリクス回路１０１で、第１の輝度信号Ｙ１，色差信号Ｃｒ，Ｃｂを出力し、更に第２のマトリクス回路１０４に第１の輝度信号Ｙ１，ＬＰＦ１０２，１０３を通した色差信号Ｃｒ，Ｃｂを入力して、ＲＧＢ信号（ここで、Ｒ、Ｇ、Ｂは、それぞれ赤、緑、青である）を求める（生成する）。そして、このＲＧＢ信号に対しガンマ変換回路１０５〜１０７で非線形処理（ガンマ処理）した後、第３のマトリクス回路１０８で第２の輝度信号Ｙ２と第２の色差信号Ｒ−Ｙ、Ｂ−Ｙに変換し、第２の輝度信号Ｙ２はアパーチャ補正回路１０９でアパーチャ補正を行い、エンコーダ１０１１はアパーチャ補正された第２の輝度信号と第２の色差信号（Ｒ−Ｙ、Ｂ−Ｙ）を入力してビデオ出力を得る。以上の従来の撮像装置としては、例えば、特開平６−１４３３３号公報が上げられる。
【０００７】
【発明が解決しようとする課題】
しかしながら上記のような構成では、ＣＣＤから出力された信号から直接生成された第１の輝度信号Ｙ１を用いてＲＧＢ信号を生成しているため、第３のマトリクス回路で生成される第２の輝度信号Ｙ２はＲＧＢ信号から生成されているとはいえ、色再現性が劣化するという問題点を有していた。
【０００８】
本発明は上記問題点に鑑み、高周波成分の高周波領域の周波数特性を劣化させることなく、被写体に忠実な色再現性を実現する撮像装置を提供するものである。
【０００９】
【課題を解決するための手段】
上記課題を解決するために本発明は、固体撮像素子から出力された画素信号を１水平走査期間単位で遅延させた信号を出力する遅延回路と、固体撮像素子から出力された信号及び遅延回路から出力された信号から輝度信号の高域周波数成分（以下、ＹＨ信号）を生成するＹＨ生成手段と、固体撮像素子から出力された信号及び遅延回路から出力された信号から輝度信号の中域周波数成分（以下、ＹＭ信号）を生成するＹＭ生成手段と、固体撮像素子から出力された信号及び遅延回路から出力された信号からＲ，Ｇ，Ｂ信号を生成するＲＧＢ生成手段と、Ｒ，Ｇ，Ｂ信号それぞれにＹＭ信号を合成する合成手段と、ＹＨ生成手段より生成されたＹＨ信号にガンマ処理をおこなうＹＨγ手段と、合成手段より生成されたＲ，Ｇ，Ｂ信号にガンマ処理をおこなうＲＧＢγ手段と、前記ＲＧＢγ手段によりガンマ処理されたＲ，Ｇ，Ｂ信号から輝度信号と色差信号を生成するマトリクス手段と、マトリクス手段により生成された輝度信号とＹＨγ手段によりガンマ処理されたＹＨ信号を合成して輝度信号として出力する手段とを備えたものである。
また本発明は、固体撮像素子から出力された画素信号を１水平走査期間単位で遅延させた複数の信号を出力する遅延回路と、前記固体撮像素子から出力された信号及び前記遅延回路から出力された信号から輝度信号の高域周波数成分（以下、ＹＨ信号）を生成するＹＨ生成手段と、前記固体撮像素子から出力された信号及び前記遅延回路から出力された信号から輝度信号の中域周波数成分（以下、ＹＭ信号）を生成するＹＭ生成手段と、前記固体撮像素子から出力された信号及び前記遅延回路から出力された信号からＲ信号、Ｇ信号及びＢ信号を生成するＲＧＢ生成手段と、前記Ｒ信号、前記Ｇ信号、前記Ｂ信号それぞれに前記ＹＭ信号を合成する合成手段と、前記ＹＨ生成手段より生成されたＹＨ信号にガンマ処理をおこなうＹＨγ手段と、前記合成手段により生成されたＲ信号、Ｇ信号、Ｂ信号にガンマ処理をおこなうＲＧＢγ手段と、前記ＲＧＢγ手段によりガンマ処理されたＲ信号、Ｇ信号、Ｂ信号から輝度信号と色差信号を生成するマトリクス手段と、前記マトリクス手段より生成された輝度信号と前記ＹＨγ手段によりガンマ処理されたＹＨ信号とを合成して輝度信号として出力する手段とを備え、
前記ＹＭ生成手段は、前記固体撮像素子から出力された信号及び前記遅延回路から出力された信号から輝度信号を生成する第１の輝度信号生成手段と、前記ＲＧＢ生成手段にて生成されるＲ，Ｇ，Ｂ信号とほぼ同じ周波数帯域の輝度信号を生成する第２の輝度信号生成手段とを有し、前記第１の輝度信号生成手段から生成される輝度信号から前記第２の輝度信号生成手段から生成される輝度信号を減算し、ＹＭ信号として出力するものである。
【００１０】
【発明の実施の形態】
以下、本発明の実施の形態について、図面を参照しながら説明する。
【００１１】
（実施の形態１）
図１は、本発明の実施の形態１における撮像装置の構成を示すブロック図である。図１において、１０は単板式の固体撮像素子であり、１１は遅延回路であり、１２はＹＨ生成手段であり、１３はＹＨγ手段であり、１４はＲＧＢ生成手段であり、１５はＹＭ生成手段であり、１６〜１８は加算器であり、１９はＲＧＢγ手段であり、１１０はマトリクス手段であり、１１１は加算器である。
【００１２】
以上のように構成された撮像装置について、以下その動作を説明する。
【００１３】
固体撮像素子１０は、垂直方向に２画素混合した画素データＹＭ（Ｙｅ（イエロー）＋Ｍｇ（マゼンダ））、ＣＧ（Ｃｙ（シアン）＋Ｇｒ（グリーン））、ＹＧ（Ｙｅ＋Ｇｒ）、ＣＭ（Ｃｙ＋Ｍｇ）を出力し、固体撮像素子１０から出力された画素データは、遅延回路１１により、遅延無しの信号Ｌ０、１水平走査期間（１ライン）遅延した信号Ｌ１、２ライン遅延した信号Ｌ２、３ライン遅延した信号Ｌ３、４ライン遅延した信号Ｌ４、５ライン遅延した信号Ｌ５、６ライン遅延した信号Ｌ６として出力される。ＹＨ生成手段１２は、信号Ｌ０〜Ｌ６から第１の輝度信号Ｙ１と輝度信号の高周波成分であるＹＨを生成する。ＹＨγ手段１３は、高周波成分ＹＨにガンマ処理を行いＹＨγとして出力する。ＲＧＢ生成手段１４はＬ０〜Ｌ６から第２の輝度信号Ｙ２と信号Ｒ，Ｇ，Ｂを生成する。ＹＭ生成手段１５はＹＨ生成手段１２の出力の第１の輝度信号Ｙ１からＲＧＢ生成手段１４の出力の第２の輝度信号Ｙ２を減じて、輝度信号の中域周波数成分ＹＭを生成する。加算器１６〜１８は、信号Ｒ，Ｇ，Ｂと中域周波数成分ＹＭをそれぞれ加算し、ＲＧＢγ手段１９は加算器１６〜１８の出力（中域周波数成分ＹＭが加算されたＲ，Ｇ，Ｂ）それぞれにγ処理を施し、信号Ｒγ、Ｇγ、Ｂγとして出力する。マトリクス手段１１０は、信号Ｒγ、Ｇγ、Ｂγから輝度信号ＹＬと色差信号Ｃを生成し、輝度信号ＹＬは加算器１１１で信号ＹＨγと加算して輝度信号Ｙとして出力される。
【００１４】
このマトリクス手段１１０は、以下の演算（数１）により輝度信号ＹＬを生成する。
【００１５】
【数１】
0004654545.tif 000002
【００１６】
図２（ａ）は、ＹＨ生成手段１２の構成を示す一例であり、２０はＹ生成手段であり、２１はＨＰＦ（高域通過フィルタ）である。Ｙ生成手段２０は、Ｌ０〜Ｌ６から輝度信号Ｙ１０，Ｙ１１，Ｙ１２，Ｙ１３，Ｙ１４を生成し、ＨＰＦ２１は輝度信号Ｙ１０〜Ｙ１４から輝度信号の高周波成分であるＹＨを生成する。また、輝度信号Ｙ１２は第１の輝度信号Ｙ１として出力する。
【００１７】
図２（ｂ）はＹ生成手段２０において輝度信号Ｙ１０〜Ｙ１４を生成する方法を表す模式図であり、Ｙ生成手段２０に入力されるＬ０〜Ｌ６の信号を水平方向に５画素ならべた状態を表しており、輝度信号Ｙ１０〜Ｙ１４は図中太枠のように各画素ごとに水平3画素を加算して生成する。
【００１８】
図３はＲＧＢ生成手段１４の構成を示す一例であり、３０はＬＰＦであり、３１はＲＧＢ信号を生成するＲＧＢマトリクスであり、３２は第２の輝度信号Ｙ２を生成する第２のＹ生成手段である。
【００１９】
ＬＰＦ３０は、Ｌ０〜Ｌ６から同色の信号同士で水平、垂直、斜め方向にＬＰＦをかけてＹＭＬ，ＣＧＬ，ＹＧＬ，ＣＭＬとして出力し、ＲＧＢマトリクス３１はＬＰＦ３０から出力された信号に、以下の演算を施すことによりＲ，Ｇ，Ｂ信号を生成する。
【００２０】
【数２】
0004654545.tif 000003
【００２１】
第２のＹ生成手段３２はＬＰＦ３０の出力ＹＭＬ，ＣＧＬ，ＹＧＬ，ＣＭＬを加算してＲ，Ｇ，Ｂ信号とほぼ同じ周波数帯域の第２の輝度信号Ｙ２を生成する。
【００２２】
図４はＬＰＦ３０による処理の模式図であり、図４（ａ）はＬＰＦ３０に入力されるＬ０〜Ｌ６の信号を水平方向に５画素ならべた状態を表しており、図４（ｂ）は図４（ａ）で示された画素それぞれにかける係数である。ＬＰＦ３０は図４（ａ）で示す画素に図４（ｂ）の係数を乗じ、同じ信号どうしで加算処理を行う。すると、図４（ｃ）に示したように水平、垂直、斜め方向の加算処理が行われ、水平、垂直、斜め方向について高周波成分が抑圧され低域の各画素信号ＹＭＬ，ＣＧＬ，ＹＧＬ，ＣＭＬが得られる。
【００２３】
図５はＹＭ生成手段１５の構成を示す一例であり、５０，５１は乗算器であり、５２は減算器であり、第１の輝度信号Ｙ１と第２の輝度信号Ｙ２に以下の演算を行いＹＭを生成する。
【００２４】
【数３】
0004654545.tif 000004
【００２５】
第１の輝度信号Ｙ１に比べ第２の輝度信号Ｙ２は周波数帯域が低いため、Ｙ１ゲイン、Ｙ２ゲインは輝度信号Ｙ１とＹ２の直流レベルが等しくなるように設定することで、輝度信号の中域周波数成分を生成する。
【００２６】
以上のように本実施の形態によれば、固体撮像素子１０と、遅延回路１１と、ＹＨ生成手段１２と、ＹＨγ手段１３と、ＲＧＢ生成手段１４と、ＹＭ生成手段１５と、加算器１６〜１８と、ＲＧＢγ手段１９と、マトリクス手段１１０と、加算器１１１を備えることにより、輝度信号の高域周波成分ＹＨと中域周波数成分ＹＭは、固体撮像素子１０から出力された信号ＹＭ，ＣＧ，ＹＧ，ＣＭの加算により生成した輝度信号から構成し、輝度信号の低周波成分はγ処理後のＲＧＢ信号から（数１）に基づいて生成された輝度信号から構成することで、撮像した画像の周波数特性を損なうこと無く、被写体に忠実な色再現を実現することができる。
【００２７】
なお、上記実施の形態において、Ｙ生成手段２０は各画素ごとに水平3画素を加算してＹ１０〜Ｙ１４を生成するとしたが、例えば各画素ごとに水平2画素を加算してＹ１０〜Ｙ１４を生成するなど、上記実施の形態に記載の内容に限定するものではない。また、ＬＰＦ３０は図４（ａ）で示す画素に図４（ｂ）の係数を乗じると記載したが、図４（ａ）で示す画素に乗じる係数は上記実施の形態に記載の内容に限定するものではない。
【００２８】
（実施の形態２）
図６は、本発明の実施の形態２における撮像装置の構成を示すブロック図である。図６において、６０は固体撮像素子であり、１１は遅延回路であり、６２はＹＨ生成手段であり、１３はＹＨγ手段であり、６４はＲＧＢ生成手段であり、１５はＹＭ生成手段であり、１６〜１８は加算器であり、１９はＲＧＢγ手段であり、１１０はマトリクス手段であり、１１１は加算器である。
【００２９】
上記の遅延回路１１、ＹＨγ手段１３、ＹＭ生成手段１５、加算器１６〜１８、ＲＧＢγ手段１９、マトリクス手段１１０及び加算器１１１は、実施の形態１と同様のものである。
【００３０】
以上のように構成された撮像装置について、以下、図面を用いてその動作を説明する。
【００３１】
固体撮像素子６０は、その撮像面上に配列された各画素データＭｇ（マゼンダ）、Ｇｒ（グリーン）、Ｙｅ（イエロー）、Ｃｙ（シアン）を出力し、固体撮像素子６０から出力された画素データは、遅延回路１１により遅延無しの信号から６ラインまで遅延した各信号Ｌ０〜Ｌ６が出力される。ＹＨ生成手段６２は信号Ｌ０〜Ｌ６から第１の輝度信号Ｙ１と輝度信号の高周波成分であるＹＨを生成し、ＹＨγ手段１３は高周波成分ＹＨにガンマ処理を行いＹＨγとして出力する。ＲＧＢ生成手段６４は、信号Ｌ０〜Ｌ６から第２の輝度信号Ｙ２と信号Ｒ，Ｇ，Ｂを生成し、ＹＭ生成手段１５は第１の輝度信号Ｙ１から第２の輝度信号Ｙ２を減じて輝度信号の中域周波数成分ＹＭを生成し、加算器１６〜１８は信号Ｒ，Ｇ，Ｂと信号ＹＭをそれぞれ加算し、ＲＧＢγ手段19はＹＭが加算されたＲ，Ｇ，Ｂの信号それぞれにγ処理しＲγ、Ｇγ、Ｂγとして出力する。
【００３２】
マトリクス手段１１０はＲγ、Ｇγ、Ｂγから輝度信号ＹＬと色差信号Cを生成し、輝度信号ＹＬは加算器１１１で信号ＹＨγと加算して輝度信号Ｙとして出力される。
【００３３】
図７（ａ）はＹＨ生成手段６２の構成を示す一例であり、７０はＹ生成手段であり、２１はＨＰＦである。Ｙ生成手段７０は信号Ｌ０〜Ｌ６から輝度信号Ｙ１０，Ｙ１１，Ｙ１２，Ｙ１３，Ｙ１４を生成し、ＨＰＦ２１は輝度信号Ｙ１０〜Ｙ１４より輝度信号の高周波成分であるＹＨを生成する。また、輝度信号Ｙ１２は第１の輝度信号Ｙ１として出力する。
【００３４】
図７（ｂ）はＹ生成手段７０において輝度信号Ｙ１０〜Ｙ１４を生成する方法を表す模式図であり、Ｙ生成手段７０に入力される信号Ｌ０〜Ｌ６の信号を水平方向に５画素ならべた状態を表しており、輝度信号Ｙ１０〜Ｙ１４は図中太枠のように各画素ごとに水平垂直4画素を加算して生成する。
【００３５】
図８はＲＧＢ生成手段６４の構成を示す一例であり、８０はＬＰＦであり、８１はＲＧＢを生成するＲＧＢマトリクスであり、８２は第２の輝度信号Ｙ２を生成する第２のＹ生成手段である。
【００３６】
ＬＰＦ８０は、信号Ｌ０〜Ｌ６から同色の信号同士で水平、垂直、斜め方向にＬＰＦをかけてＭｇＬ、ＧｒＬ、ＹｅＬ、ＣｙＬとして出力し、ＲＧＢマトリクス８１はＬＰＦ８０から出力された信号ＭｇＬ、ＧｒＬ、ＹｅＬ、ＣｙＬから、以下の演算によりＲ，Ｇ，Ｂ信号を生成する。
【００３７】
【数４】
0004654545.tif 000005
【００３８】
第２のＹ生成手段８２は、信号ＭｇＬ、ＧｒＬ、ＹｅＬ、ＣｙＬを加算してＲ，Ｇ，Ｂ信号とほぼ同じ周波数帯域の第２の輝度信号Ｙ２を生成する。
【００３９】
図９はＬＰＦ８０での処理の模式図であり、図９（ａ）はＬＰＦ８０に入力されるＬ０〜Ｌ６の信号を水平方向に５画素ならべた状態を表しており、図９（ｂ）は、図９（ａ）で示された画素それぞれにかける係数である。ＬＰＦ８０は、図９（ａ）で示す画素に図９（ｂ）の係数を乗じ、同じ信号同士で加算処理を行う。すると、図９（ｃ）に示したように水平、垂直、斜め方向の加算処理が行われ、水平、垂直、斜め方向について高周波成分が抑圧され低域の各画素信号ＭｇＬ、ＧｒＬ、ＹｅＬ、ＣｙＬが得られる。
【００４０】
以上のように本実施の形態によれば、固体撮像素子６０と、遅延回路１１と、ＹＨ生成手段６２と、ＹＨγ手段１３と、ＲＧＢ生成手段６４と、ＹＭ生成手段１５と、加算器１６〜１８と、ＲＧＢγ手段１９と、マトリクス手段１１０と、加算器１１１とを備えることにより、輝度信号の高域周波成分と中域周波数成分は固体撮像素子から出力された信号Ｍｇ，Ｇｒ，Ｙｅ，Ｃｙの加算により生成した輝度信号から構成し、輝度信号の低周波成分は、γ処理後のＲ，Ｇ，Ｂから（数１）に基づいて生成された輝度信号から構成することで、撮像した画像の周波数特性を損なうこと無く、被写体に忠実な色再現を実現することができる。
【００４１】
なお、上記実施の形態では、固体撮像素子６０は撮像面上に配列された各画素データＭｇ，Ｇｒ，Ｙｅ，Ｃｙを出力と記載したが、撮像面上に配列された各画素データは例えばＲ，Ｇ，Ｂなど、上記実施の形態に記載の内容に限定するものではない。
【００４２】
また、Ｙ生成手段７０は各画素ごとに水平3画素加算してＹ１０〜Ｙ１４を生成すると記載したが、例えば各画素ごとに水平2画素加算してＹ１０〜Ｙ１４を生成するなど上記実施の形態に記載の内容に限定するものではない。
【００４３】
また、ＬＰＦ８０は図９（ａ）で示す画素に図９（ｂ）の係数を乗じと記載したが、図９（ａ）で示す画素に乗じる係数は上記実施の形態に記載の内容に限定するものではない。
【００４４】
【発明の効果】
以上のように本発明は、固体撮像素子から出力された画素信号を１水平走査期間単位で遅延させた複数の信号を出力する遅延回路と、固体撮像素子から出力された信号及び遅延回路から出力された信号から輝度信号の高域周波数成分（以下、ＹＨ信号）を生成するＹＨ生成手段と、固体撮像素子から出力された信号及び遅延回路から出力された信号から輝度信号の中域周波数成分（以下、ＹＭ信号）を生成するＹＭ生成手段と、固体撮像素子から出力された信号及び遅延回路から出力された信号からＲ信号、Ｇ信号及びＢ信号を生成するＲＧＢ生成手段と、Ｒ，Ｇ，Ｂ信号それぞれにＹＭ信号を合成する合成手段と、ＹＨ信号にγ（ガンマ）処理をおこなうγ手段（以下、ＹＨγ手段）と、合成手段より生成されたＲ，Ｇ，Ｂ信号にγ処理をおこなうγ手段（以下、ＲＧＢγ手段）と、ＲＧＢγ手段よりγ処理されたＲ，Ｇ，Ｂ信号から輝度信号と色差信号を生成するマトリクス手段と、マトリクス手段より生成された輝度信号とＹＨγ手段よりγ処理されたＹＨ信号を合成する手段とを備えることにより、高周波成分の高周波領域の周波数特性を劣化させることなく、被写体に忠実な色再現性を実現することができる。
【図面の簡単な説明】
【図１】本発明の実施の形態１による撮像装置の構成を示すブロック図
【図２】同撮像装置のＹＨ生成手段の構成図
【図３】同撮像装置のＲＧＢ生成手段の構成図
【図４】同撮像装置のＲＧＢ生成手段内のＬＰＦでの処理の模式図
【図５】同撮像装置のＹＭ生成手段の構成図
【図６】本発明の実施の形態２による撮像装置の構成を示すブロック図
【図７】同撮像装置のＹＨ生成手段の構成図
【図８】同撮像装置のＲＧＢ生成手段の構成図
【図９】同撮像装置のＲＧＢ生成手段内のＬＰＦでの処理の模式図
【図１０】従来の撮像装置の構成を示すブロック図
【符号の説明】
１０  固体撮像素子
１１  遅延回路
１２  ＹＨ生成手段
１３  ＹＨγ手段
１４  ＲＧＢ生成手段
１５  ＹＭ生成手段
１６〜１８、１１１  加算器
１９  ＲＧＢγ手段
１１０  マトリクス手段
【図１】
0004654545.tif 000006
【図２】
0004654545.tif 000007
【図３】
0004654545.tif 000008
【図４】
0004654545.tif 000009
【図５】
0004654545.tif 000010
【図６】
0004654545.tif 000011
【図７】
0004654545.tif 000012
【図８】
0004654545.tif 000013
【図９】
0004654545.tif 000014
【図１０】
0004654545.tif 000015